(57)【要約】【課題】端子部保護カバーの取り付け作業の作業性を良好にするに際して、既存の端子部保護カバーをそのまま利用できるようにすること、利用する追加部品の汎用性を高められるようにすること、そして、端子部保護カバーを綺麗にフィットさせることができるようにすること。【解決手段】電力量計１１が取り付けられた計器板３１に穿孔された木ねじをねじ込むためのねじ孔３３の位置に、両面開口の筒状をした絶縁性を有する案内部材１０１の開拡した基部を両面テープで貼り付け（第一の工程）、端子部保護カバーに形成された木ねじを通す通し孔に差し込まれた木ねじの先端を案内部材１０１の先端開口部に差し込み（第二の工程）、そのまま木ねじを押し込んでねじ孔３３にねじ込み締め付け（第三の工程）、端子部保護カバーを計器板３１に木ねじで固定するようにした。【選択図】図１
2011252845.tif 000002
【特許請求の範囲】
【請求項１】
電力量計の端子部を覆う端子部保護カバーを当該電力量計が取り付けられた計器板に木ねじで固定する電力量計の端子部保護カバーの取り付け方法であって、
前記計器板に穿孔された前記木ねじをねじ込むためのねじ孔の位置に、両面開口の筒状をした絶縁性を有する案内部材の開拡した基部を両面テープで貼り付ける第一の工程と、
前記端子部保護カバーに形成された前記木ねじを通す通し孔に差し込まれた前記木ねじの先端を、前記計器板に貼り付けられた前記案内部材の先端開口部に差し込む第二の工程と、
前記案内部材の先端開口部に差し込んだ前記木ねじを押し込んで前記ねじ孔にねじ込み締め付ける第三の工程と、
を備えることを特徴とする電力量計の端子部保護カバーの取り付け方法。
【請求項２】
前記第二の工程は、前記通し孔に前記木ねじを差し込んだ前記端子部保護カバーを前記計器板に近づけながら、前記木ねじの先端を前記案内部材の先端開口部に差し込む、ことを特徴とする請求項１に記載の電力量計の端子部保護カバーの取り付け方法。
【請求項３】
前記第二の工程は、前記案内部材の先端開口部に前記通し孔の位置を合わせて前記計器板に押し付けた前記端子部保護カバーの当該通し孔に前記木ねじの先端を差し込みことで、当該木ねじの先端を前記案内部材の先端開口部に差し込む、ことを特徴とする請求項１に記載の電力量計の端子部保護カバーの取り付け方法。
【請求項４】
前記案内部材として、複数個の筒状部材がスライド自在になった入れ子構造のものを用いる、ことを特徴とする請求項２に記載の電力量計の端子部保護カバーの取り付け方法。
【請求項５】
前記案内部材として、複数個の筒状部材がスライド自在になった入れ子構造のものであって、前記計器板の表面と前記端子部保護カバーの裏面との間の距離よりも伸びた状態で長くなるものを用いる、ことを特徴とする請求項３に記載の電力量計の端子部保護カバーの取り付け方法。
【請求項６】
前記案内部材として、その先端開口部がテ−パ形状になったものを用いる、ことを特徴とする請求項１ないし４のいずれか一に記載の電力量計の端子部保護カバーの取り付け方法。
【請求項７】
前記案内部材として、当該案内部材の先端部分に複数の切れ込みを入れて開拡させたものを用いる、請求項６に記載の電力量計の端子部保護カバーの取り付け方法。
【請求項８】
前記案内部材として、ストローを所定長さに切断し一端を開拡させて前記基部としたものを用いる、ことを特徴とする請求項１ないし７のいずれか一に記載の電力量計の端子部保護カバーの取り付け方法。
【請求項９】
電力量計の端子部を覆う端子部保護カバーを当該電力量計が取り付けられた計器板に木ねじで固定する電力量計の端子部保護カバーの取り付け構造であって、
前記計器板に穿孔されて前記木ねじをねじ込むためのねじ孔と、
前記端子部保護カバーに形成されて前記木ねじを通す通し孔と、
一端に形成された開拡した基部が前記ねじ孔の位置に両面テープで貼り付けられた両面開口の筒状をした絶縁性を有する案内部材と、
前記木ねじを前記端子部保護カバーの前記通し孔から差し込み前記案内部材の内部に通して前記ねじ孔にねじ込み締め付けることによって前記端子部保護カバーを前記計器板に固定する固定構造と、
を備えることを特徴とする電力量計の端子部保護カバーの取り付け構造。
【請求項１０】
前記案内部材は、複数個の筒状部材がスライド自在になった入れ子構造を有している、ことを特徴とする請求項９に記載の電力量計の端子部保護カバーの取り付け構造。
【請求項１１】
前記案内部材は、前記計器板の表面と前記端子部保護カバーの裏面との間の距離よりも伸びた状態で長く形成されている、ことを特徴とする請求項１０に記載の電力量計の端子部保護カバーの取り付け構造。
【請求項１２】
前記案内部材は、その先端開口部がテ−パ形状に形成されている、ことを特徴とする請求項９ないし１１のいずれか一に記載の電力量計の端子部保護カバーの取り付け構造。
【請求項１３】
前記案内部材は、当該案内部材の先端部分に複数の切れ込みを入れて開拡させた構造を有している、ことを特徴とする請求項１２に記載の電力量計の端子部保護カバーの取り付け構造。
【請求項１４】
前記案内部材は、ストローを所定長さに切断し一端を開拡させて前記基部とした構造を有している、ことを特徴とする請求項９ないし１３のいずれか一に記載の電力量計の端子部保護カバーの取り付け構造。
【発明の詳細な説明】
【技術分野】
【０００１】
本発明は、電力量計の端子部に端子部保護カバーを取り付けるための電力量計の端子部保護カバーの取り付け方法および取り付け構造に関する。
【背景技術】
【０００２】
電力事業者は、電力需要家の電気使用量を計測するために、その者の家屋や事業所に電力量計を設置している。電力量計は、電柱からの引込線を接続し、これを家屋や事業所内の屋内配線に接続させるための端子部を有している。端子部は、端子を覆う保護パネルを封印具で封印した上に、安全上あるいは防犯上の目的で、外部から遮蔽される。
【０００３】
電力量計を専用の計器ボックスに収納する場合、計器ボックスが電力量計を外部から遮蔽する構造物となる。これに対して、電力量計を計器ボックスに収納しない場合には、電力量計の端子部を端子部保護カバーで覆い、外部から遮蔽するようにしている。例えば、アパートのような集合住宅では、複数個の電力量計を並べて木の板などでできた計器板に取り付けていることが多い。この場合、電力量計は外部に露出したままの状態となっているので、個々の電力量計の端子部を端子部保護カバーで覆う必要がある。また、マンションのような集合住宅では、電力量計をガスメータや水道メータと共に一括して収納するパイプシャフトが採用されることが多い。パイプシャフトは、内部に設置された配線および配管や計器類を扉で遮蔽している。しかしながら、ガスや水道の検針員、場合によっては集合住宅の管理人や居住者もその扉を開けることがあるため、やはり電力量計の端子部を端子部保護カバーで覆う必要がある。
【０００４】
特許文献１は、電力量計の端子部保護カバーの取り付け構造を紹介している。電力量計の端子部を覆う端子部保護カバーは、上面が開口した筐体形状をしており、端子部をすっぽり覆っている。特許文献１では、端子部保護カバーを計器板に木ねじで直接ねじ止めしている一例（特許文献１の図５参照）と、電力量計の端子部にねじ止めしている一例（特許文献１の図１〜図４参照）とが示されている。後者の例では、端子部にスタッド（特許文献１では取付用ビス２１）を固定し、このスタッドの先端部に形成したねじ孔を利用して、端子部保護カバーを取り付けるようにしている。端子部に対するスタッドの固定は、端子部の端子を覆い封印される保護パネルを端子部にねじ止めするためのねじ孔を利用して行われる。スタッドを設けた狙いは、端子部保護カバーの取り付け作業の容易化および配線の損傷防止である（特許文献１の段落０００５参照）。
【先行技術文献】
【特許文献】
【０００５】
【特許文献１】特開２００９−０９２５２５
【発明の概要】
【発明が解決しようとする課題】
【０００６】
特許文献１に記載されているスタッドを用いた端子部保護カバーの取り付け構造は、端子部保護カバーの取り付け作業の容易化を図る上でも、配線の損傷防止を図るうえでも、なかなか優れた構造である。しかも、端子部に対するスタッドの取り付けは、端子を覆った状態で封印される保護パネルを端子部にねじ止めするためのねじ孔を利用して行われるため、スタッド（特許文献１では取付用ビス２１）の設置に際して、既存の電力量計を大きく改造する必要もない。
【０００７】
しかしながら、端子部保護カバーについては、それまで使用していた既存の端子部保護カバーを再利用することが困難であるという問題がある。端子部保護カバーにおいて、スタッドにねじ止めするためのねじの通し孔を新設しなければならないからである。
【０００８】
別の問題として、既存の電力量計にスタッドを設置するに際して、スタッドの選定が容易ではないという問題もある。これは、電力量計と端子部保護カバーとの組み合わせ毎に、適合するスタッドの長さ寸法や、端子を覆った状態で封印される保護パネルを端子部にねじ止めするためのねじ孔の孔径寸法が相違するはずだからである。
【０００９】
更に別の問題として、端子部保護カバーを綺麗にフィットさせることが困難であるという問題もある。これは、電力量計の端子部に設置したスタッドに端子部保護カバーをねじ止めするという構造に起因している。つまり、そのような構造上、端子部保護カバーを隙間なく計器板にフィットさせるためには、計器板の表面から端子部の表面に至る端子部の高さ寸法にスタッドの長さ寸法を足した寸法が、計器板の表面から端子部保護カバーの裏面までの寸法に正しく一致していなければならい。このため、各部に厳格な寸法管理が要求されるところ、その実現は期待薄だからである。その結果、スタッドの長さ寸法が長すぎれば計器板と端子部保護カバーとの間に見苦しい隙間が開いてしまうし、逆にスタッドの長さ寸法が短すぎれば端子部保護カバーに見苦しい歪みが発生してしまう。
【００１０】
本発明は、このような点に鑑みなされたもので、端子部保護カバーの取り付け作業の作業性を良好にするに際して、既存の端子部保護カバーをそのまま利用できるようにすること、利用する追加部品の汎用性を高められるようにすること、そして、端子部保護カバーを綺麗にフィットさせることができるようにすること、を目的とする。
【課題を解決するための手段】
【００１１】
本発明は、電力量計の端子部を覆う端子部保護カバーを当該電力量計が取り付けられた計器板に木ねじで固定する電力量計の端子部保護カバーの取り付け方法であって、前記計器板に穿孔された前記木ねじをねじ込むためのねじ孔の位置に、両面開口の筒状をした絶縁性を有する案内部材の開拡した基部を両面テープで貼り付ける第一の工程と、前記端子部保護カバーに形成された前記木ねじを通す通し孔に差し込まれた前記木ねじの先端を、前記計器板に貼り付けられた前記案内部材の先端開口部に差し込む第二の工程と、前記案内部材の先端開口部に差し込んだ前記木ねじを押し込んで前記ねじ孔にねじ込み締め付ける第三の工程と、を備えることによって、上記課題を解決する。
【００１２】
本発明は、電力量計の端子部を覆う端子部保護カバーを当該電力量計が取り付けられた計器板に木ねじで固定する電力量計の端子部保護カバーの取り付け構造であって、前記計器板に穿孔されて前記木ねじをねじ込むためのねじ孔と、前記端子部保護カバーに形成されて前記木ねじを通す通し孔と、一端に形成された開拡した基部が前記ねじ孔の位置に両面テープで貼り付けられた両面開口の筒状をした絶縁性を有する案内部材と、前記木ねじを前記端子部保護カバーの前記通し孔から差し込み前記案内部材の内部に通して前記ねじ孔にねじ込み締め付けることによって前記端子部保護カバーを前記計器板に固定する固定構造と、を備えることによって、上記課題を解決する。
【発明の効果】
【００１３】
本発明によれば、端子部保護カバーを取り付けるための木ねじを案内部材によって計器板のねじ孔の位置に容易に案内することができるので、端子部保護カバーの取り付け作業の作業性を良好にすることができ、この際、端子部保護カバーをねじ止めするための木ねじを通すねじ孔の位置に変更がないため、既存の端子部保護カバーをそのまま利用することができ、また、用いる案内部材に高い寸法精度が要求されないため、案内部材の汎用性を高めることができ、しかも、端子部保護カバーを計器板に木ねじで固定するという従来手法をそのまま採用することができるため、端子部保護カバーを綺麗にフィットさせることができる。
【図面の簡単な説明】
【００１４】
【図１】実施の一形態として、端子部保護カバーを取り外した状態を示す計器板に取り付けられた電力量計の正面図。
【図２】端子部保護カバーを取り付けた状態を示す計器板に取り付けられた電力量計の正面図。
【図３】端子部保護カバーの斜視図。
【図４】案内部材と両面テープとを示す斜視図。
【図５】（ａ）〜（ｅ）は、案内部材の各種態様を示す斜視図。
【図６】（ａ）〜（ｃ）は、端子部保護カバーの取り付け方法の各種態様を示す縦断側面図。
【発明を実施するための形態】
【００１５】
電力量計１１の端子部保護カバー９１の取り付け方法および取り付け構造の実施の形態を図１ないし図６に基づいて説明する。
【００１６】
図１は、端子部保護カバー９１を取り外した状態を示す電力量計１１の正面図である。電力量計１１は、例えば木の板により形成された計器板３１に取り付けられている。このような電力量計１１は、その上部に表示部５１を備え、下部に端子部７１を有している。表示部５１は、電気使用量に関する計量値を表示する表示器５２を有し、透光性を有するカバー５３で表示器５２を覆っている。端子部７１は、端子（図示せず）を保護パネル７２で覆っている。保護パネル７２は、電力量計１１に固定され、封止部（図示せず）で封止される。
【００１７】
図１に示すように、電力量計１１の端子部７１は、保護パネル７２で覆われた端子に配線７３を接続している。これらの配線７３は、電柱からの引込線および屋内配線である。電力量計１１が取り付けられている計器板３１は、その背面に配線７３を引き回すための配線孔３２を有している。配線７３は、配線孔３２から計器板３１の背面側に引き回され、電柱からの引込線および屋内配線に接続している。
【００１８】
電力量計１１が取り付けられた計器板３１には、後述する端子部保護カバー９１（図２、図３参照）をねじ止めするためのねじ孔３３が穿孔形成されている。このような端子部保護カバー９１のねじ止め作業の容易化を図るために、本実施の形態では、ねじ孔３３の位置に案内部材１０１が固定されている。このような案内部材１０１を利用した端子部保護カバー９１の取り付け方法および取り付け構造については、後に詳述する。
【００１９】
図２は、端子部保護カバー９１を取り付けた状態を示す電力量計の正面図である。図２に示すように、端子部保護カバー９１は、木ねじ９２によって計器板３１にねじ止めされ、保護パネル７２が固定された端子部７１および配線７３を完全に覆っている。これにより、端子部７１および配線７３は、外部から完全に遮蔽されている。
【００２０】
図３は、端子部保護カバー９１の斜視図である。端子部保護カバー９１は、端子部７１および配線７３を完全に覆うという役割を果たすために、上面が開口した筐体形状を有している。このような端子部保護カバー９１は、その正面壁と両側壁と底壁とによって、端子部７１および配線７３を完全に覆うことができる。また、端子部保護カバー９１は、木ねじ９２を通すための通し孔９３を有している。
【００２１】
図４は、案内部材１０１と両面テープ１５１とを示す斜視図である。案内部材１０１は、両面開口の筒状をした絶縁性を有する部材である。一例として、案内部材１０１は、ストローを適宜切断して形成することが好ましい。何故ならば、ストローから形成された案内部材１０１であれば、両面開口の筒状という案内部材１０１に求められる基本形態および木ねじ３３の寸法との適合性が備わっているばかりでなく、絶縁性を有すること、熱を加えたり切り込みを入れたりしての加工性が良好であること、軽量であること、という案内部材１０１に要求されるおよそ全ての要求を満たすからである。このような案内部材１０１は、一端側が計器板３１に固定される開拡された基部Ｂとされ、反対側の一端側が先端部Ｅとされている。
【００２２】
基部Ｂは、一例として、案内部材１０１の軸方向に沿って複数筋の切れ込み１０２を入れ、その部分を軸方向と直交する外側方向に広げることによって形成されている。別の一例として、熱を加えて柔らかくした基部Ｂを平坦面に押し付けて開拡させるようにしても良い。いずれにしても、基部Ｂは、案内部材１０１の軸方向と直交する外側方向に開拡されていれば、どのような手法を採用して形成されていても良い。
【００２３】
先端部Ｅは、木ねじ９２の先端を案内部材１０１の内部空間に導き入れるための先端開口部１０１Ｈを形成している。
【００２４】
こうして形成された案内部材１０１は、基部Ｂの側が両面テープ１５１によって計器板３１に貼り付けられ、固定されている。両面テープ１５１は、中央部にねじ通し孔１５１Ｈを有する円形形状に形成されている。そして、両面テープ１５１の直径は、案内部材１０１の開拡した基部Ｂの直径と略一致している。このような両面テープ１５１は、その表裏面にそれぞれ貼り付けられた台紙シート１５２ａ、１５２ｂを剥がすことで、表裏面に粘着面を出現させる。そこで、一例として、一方の台紙シート１５２ａまたは１５２ｂを剥がして案内部材１０１の基部Ｂに貼り付けておき、案内部材１０１を計器板３１に貼り付けるに際してもう一方の台紙シート１５２ｂ又は１５２ａを剥がせば、計器板３１に案内部材１０１を容易に貼り付けることができる。
【００２５】
図５（ａ）〜（ｅ）は、案内部材１０１の各種態様を示す斜視図である。案内部材１０１には、各種の態様のものを用いることが可能である。以下、（ａ）〜（ｅ）に示す五つの態様を順に説明する。
【００２６】
図５（ａ）に示す案内部材１０１は、図４に示すものと同一であり、最もベーシックな態様のものである。案内部材１０１は直管形状をしており、それ故、先端開口部１０１Ｈの直径は案内部材１０１の内径と一致している。
【００２７】
図５（ｂ）に示す案内部材１０１は、先端部Ｅに形成された先端開口部１０１Ｈがテーパ形状に形成されたものである。テーパ形状は、ストローである案内部材１１の先端部Ｅに熱を加えることで、容易に形作ることができる。
【００２８】
図５（ｃ）に示す案内部材１０１は、複数個の筒状部材（図５（ｃ）では二個の筒状部材）がスライド自在になった入れ子構造を有している。このような構造は、ストローでお馴染みである。
【００２９】
図５（ｄ）に示す案内部材１０１は、図５（ｃ）に示す案内部材１０１を基本としながらも、図５（ｂ）に示す案内部材１０１と同様に、先端部Ｅに形成された先端開口部１０１Ｈがテーパ形状に形成されたものである。
【００３０】
図５（ｅ）に示す案内部材１０１は、先端部Ｅに形成された先端開口部１０１Ｈがテーパ形状に形成されたものである。但し、図５（ｂ）および図５（ｃ）と異なり、図５（ｅ）に示す案内部材１０１のテーパ形状は、複数個の弾性片１０４によって形成されている。これらの弾性片１０４は、案内部材１０１の先端部Ｅに軸方向に沿って複数筋の切れ込み１０５を入れ、その部分を外側方向に広げることによって形成されている。つまり、開拡する基部Ｂと同様の手法によって形成されているわけであるが、基部Ｂと相違するのは、その開拡角度である。基部Ｂは、計器板３１に両面テープ１５１で貼り付けるという目的から、切れ込み１０２を入れた部分を案内部材１０１の軸方向と直交する方向にまで屈曲させている。これに対して、先端部Ｅに形成された先端開口部１０１は、弾性的に変形可能なテーパを形成することを目的としているので、切れ込み１０５を入れた部分を案内部材１０１の軸方向と直交する方向にまで屈曲させない。屈曲角度は、一例として、３０度〜６０度程度である。もっとも、実施に際しては、この角度範囲に限定する必要はない。
【００３１】
計器板３１に端子部保護カバー９１を取り付けるには、まず、計器板３１に穿孔形成されたねじ孔３３の位置に、案内部材１０１の開拡した基部Ｂを両面テープ１５１で貼り付ける（第一の工程）。次いで、端子部保護カバー９１に形成された通し孔９３に差し込まれた木ねじ９２の先端を、計器板３１に貼り付けられた案内部材１０１の先端開口部１０１Ｈに差し込む（第二の工程）。そして、そのまま木ねじ９２を押し込んでねじ孔３３にねじ込み、締め付ける（第三の工程）。これにより、計器板３１に端子部保護カバー９１が固定され、保護パネル７２が固定された端子部７１および配線７３を完全に覆い外部から遮蔽することができる。この際、本実施の形態によれば、案内部材１０１によって、端子部保護カバー９１を取り付けるための木ねじ９２を計器板３１のねじ孔３３の位置に容易に案内することができるので、端子部保護カバー９１の取り付け作業の作業性を良好にすることができる。
【００３２】
図６（ａ）〜（ｃ）は、端子部保護カバー９１の取り付け方法の各種態様を示す縦断側面図である。ここでは、上記第二の工程の各種態様を説明する。
【００３３】
まず、図６（ａ）に示す第二の工程の一態様では、端子部保護カバー９１の通し孔９３に木ねじ９２を予め差し込んでおく。そして、木ねじ９２を差し込んだ端子部保護カバー９１を計器板３１に近づけながら、木ねじの先端を案内部材１０１の先端開口部１０１Ｈに差し込む。このような第二の工程の一態様は、図１（ａ）〜（ｅ）のいずれの態様の案内部材１０１を用いても実施可能である。
【００３４】
もっとも、図１（ｃ）または図１（ｄ）に示す案内部材１０１を用いる場合には、更に二つの態様が実施可能である。一つの態様は、案内部材１０１の長さを、計器板３１の表面と端子部保護カバー９１の裏面との間の間隔と同一かそれよりも僅かに短い長さ寸法に調節しておく態様である。この場合、種類が異なる端子部保護カバー９１に応じて、その裏面に接触しない最大限の長さ寸法に案内部材１０１の長さを設定することで、案内部材１０１の先端開口部１０１Ｈに対する木ねじ９２の差し込み作業を更にし易くすることができる。もう一つの態様は、案内部材１０１の長さを、計器板３１の表面と端子部保護カバー９１の裏面との間の間隔よりも長い長さ寸法に調節しておく態様である。この場合、案内部材１０１の先端開口部１０１Ｈに対する木ねじ９２の先端の差し込み作業をより一層し易くすることができる。そして、長く伸ばされた案内部材１０１は、端子部保護カバー９１を計器板３１に接合させる動作に応じて押され、縮む。
【００３５】
また、図１（ｂ）、図１（ｄ）および図１（ｅ）に示す案内部材１０１は、先端開口部１０１Ｈがテーパ形状となっているので、端子部保護カバー９１の通し孔９３に差し込まれた木ねじ９２を差し込みやすいという効果が得られる。
【００３６】
次いで、図６（ｂ）に示す第二の工程の一態様では、計器板３１に端子部保護カバー９１を予め接合させておく。この際、端子部保護カバー９１の通し孔９３から案内部材１０１を覗き、その先端開口部１０１Ｈに通し孔９３の位置を位置合わせしておく。その後、通し孔９３に木ねじ９２を差し込むことで、木ねじ９２を案内部材１０１で案内して計器板３１に穿孔形成したねじ孔３３に導くことができる。このような第二の工程の一態様は、図１（ａ）〜（ｅ）のいずれの態様の案内部材１０１を用いても実施可能である。
【００３７】
もっとも、図１（ｂ）、図１（ｄ）および図１（ｅ）に示すテーパ形状の先端開口部１０１Ｈを有する案内部材１０１では、通し孔９３から覗いた際に先端開口部１０１Ｈの存在を目視し易い。このため、本態様では、それらのテーパ形状の先端開口部１０１Ｈを有する案内部材１０１の採用が好ましい。しかも、先端開口部１０１Ｈの内側が白色などのような光反射率に優れた色彩を有しているならば、より一層、先端開口部１０１Ｈの目視が良好になる。
【００３８】
これに加えて、図１（ｂ）、図１（ｄ）および図１（ｅ）に示すテーパ形状の先端開口部１０１Ｈを有する案内部材１０１が好ましいもう１つの理由は、位置ずれに対する許容度の高さである。つまり、テーパ部を有する先端開口部１０１Ｈは、端子部保護カバー９１の裏面に対して多少ずれたとしても、先端開口部１０１Ｈの面積が広くなっているためにある程度の誤差を許容するのである。要は、通し孔９３の位置が先端開口部１０１Ｈから外れなければ良い。
【００３９】
次いで、図６（ｃ）に示す第二の工程の一態様は、図１（ｃ）〜（ｄ）に示す伸縮可能な案内部材１０１、または図１（ｅ）に示す複数個の弾性片１０４を有する案内部材１０１の採用を前提とする。この際、図１（ｃ）および図１（ｄ）に示す案内部材１０１では、案内部材１０１の長さを、計器板３１の表面と端子部保護カバー９１の裏面との間の間隔よりも長くしておくことが肝要である。また、図１（ｅ）に示す案内部材１０１では、案内部材１０１の長さが、計器板３１の表面と端子部保護カバー９１の裏面との間の間隔よりも長く形成されていることが肝要である。
【００４０】
図６（ｃ）に示す第二の工程の一態様では、端子部保護カバー９１の通し孔９３から案内部材１０１を覗き、その先端開口部１０１Ｈに通し孔９３の位置を位置合わせする。この際、端子部保護カバー９１はまだ計器板３１に接合していないので、端子部保護カバー９１の裏面側にも光が回り込み、案内部材１０１の先端開口部１０１Ｈに対する通し孔９３の位置合わせ作業が容易である。そして、先端開口部１０１Ｈに通し孔９３の位置を位置合わせしたならば、そのまま端子部保護カバー９１を押して計器板３１に接合させる。この際、端子部保護カバー９１が計器板３１に接合するに先立ち、端子部保護カバー９１の裏面が案内部材１０１の先端開口部１０１Ｈに当接するので、位置合わせされた先端開口部１０１Ｈと通し孔９３との位置がずれにくい。しかも、図１（ｄ）および図１（ｅ）に示すテーパ部を有する先端開口部１０１Ｈは、端子部保護カバー９１の裏面に対して多少ずれたとしても、先端開口部１０１Ｈの面積が広くなっているためにある程度の誤差を許容する。要は、通し孔９３の位置が先端開口部１０１Ｈから外れなければ良いわけである。
【００４１】
その後、通し孔９３に木ねじ９２を差し込むことで、木ねじ９２を案内部材１０１で案内して計器板３１に穿孔形成したねじ孔３３に導くことができる。
【００４２】
以上、本実施の形態の端子部保護カバー９１の取り付け方法および取り付け構造について説明した。このような本実施の形態によれば、既存の端子部保護カバー９１をそのまま利用することができる。木ねじ９２を通すための通し孔９３の位置に変更がないからである。
【００４３】
また、本実施の形態によれば、用いる案内部材１０１に高い寸法精度が要求されない。何故ならば、案内部材１０１は、端子部保護カバー９１を位置決め固定する役割を担わないからである。このような案内部材１０１に対して長さ寸法として要求されるのは、木ねじ９２の先端部を案内部材１０１の先端開口部１０１Ｈに容易に差し込むことができる程度という極めて大雑把なものである。したがって、本実施の形態によれば、案内部材１０１の汎用性を高めることができる。
【００４４】
また、本実施の形態によれば、端子部保護カバー９１を計器板３１に木ねじ９２で固定するという従来手法をそのまま採用することができるので、端子部保護カバー９１を綺麗にフィットさせることができる。
【００４５】
これに加えて、本実施の形態では、ストローを加工して案内部材１０１を得ている。このため、案内部材１０１は絶縁性を有しており、配線７３同士を短絡させてしまったりするような事故を未然に防止することができる。しかも、熱を加えたり切り込みを入れたりしての加工性が良好であることから、案内部材１０１の新規作成や修正等の作業が容易であり、例えば現場でそのような作業を行うことも可能である。これに加えて、案内部材１０１の計量化が図られ、両面テープ１５１程度のもので確実に案内部材１０１を計器板３１に固定することができる。このように、ストローを加工して得た案内部材１０１は、端子部保護カバー９１の取り付け方法を実施するに際しても、端子部保護カバー９１の取り付け構造を実施するに際しても、数多くの利点をもたらす。
【符号の説明】
【００４６】
１１    電力量計
３１    計器板
９１    端子部保護カバー
９２    木ねじ
９３    ねじ孔
１０１    案内部材
１０１Ｈ  先端開口部
１０５    切れ込み
１５１    両面テープ
Ｂ  基部
【図１】
2011252845.tif 000003
【図２】
2011252845.tif 000004
【図３】
2011252845.tif 000005
【図４】
2011252845.tif 000006
【図５】
2011252845.tif 000007
【図６】
2011252845.tif 000008